(57)【要約】【課題】天井等の被設置部への施工性を容易かつ確実にすることが可能な照明器具を提供する。【解決手段】発光素子１１を配設した発光部Ａを有する器具本体Ｂと；器具本体を内周側に配設すると共に、器具本体の一端部を枢支する支持枠１６と；器具本体の他端部に設けられ器具本体に対して移動して前記支持枠と係合するストッパー片１４ｅ１と、ストッパー片の移動を規制するロック機構Ｒとを備えた係合部１４ｅと； を具備する照明器具１０を構成する。【選択図】        図１
2010153314.tif 000002
【特許請求の範囲】
【請求項１】
発光素子を配設した発光部を有する器具本体と；
器具本体を内周側に配設すると共に、器具本体の一端部を枢支する支持枠と；
器具本体の他端部に設けられ器具本体に対して移動して前記支持枠と係合するストッパー片と、ストッパー片の移動を規制するロック機構とを備えた係合部と；
を具備していることを特徴とする照明器具。
【請求項２】
前記係合部は、ストッパー片を有する止め具と、止め具を回動可能に支持する軸受部と、止め具と軸受部との間に設けられ止め具の回動を規制するロック機構とを具備していることを特徴とする請求項１記載の照明器具。
【発明の詳細な説明】
【技術分野】
【０００１】
本発明は、発光ダイオード等の発光素子を光源とした発光部を有する照明器具に関する。
【背景技術】
【０００２】
近年、発光ダイオードは、その発光効率の向上により、オフィスや一般照明用などの比較的大きな照明器具の光源として採用され商品化されてきている。例えば、特許文献１には、天井面に埋め込んで取付けられる本体部と、本体部の下面開口の一側縁に軸により支持され本体部に対して開閉可能にされた光源部とを備えた照明器具が示されている。
【特許文献１】特開２００２−１１７７０５号公報
【発明の開示】
【発明が解決しようとする課題】
【０００３】
一方、この種、照明器具において、光源にＬＥＤを採用することにより本体を薄いパネル状に構成し軽量化を図っているが、天井面などへの設置作業は、高所や暗がりでの施工となるために施工が難しく作業を如何に簡易化するかが重要な課題となっている。しかし、特許文献１に示される照明器具は、段落番号［０００８］に「・・・・光源部を、軸を中心として回動し押し上げると、本体部の雄ねじが光源部の取付片に貫通され、さらにつまみねじを螺合すると光源部は本体部に対して閉じられ・・・」と記載されているように、光源部が本体部の下面開口から開放しないように、一般的には小さい雄ねじに対し、小型のつまみねじを螺合する困難な細かい手作業となる。特に、天井面など高所や暗がりで行うこの種の埋込形の照明器具においては一層困難な作業となり、施工が難しくなると共に、確実な作業を行うことができない虞が生じる。この問題は、特に、光源として発光ダイオード等を採用し、器具の軽量化を図ったにもかかわらず、施工性の面での改善が行われていないことから、一層の施工の簡易化と確実性が要求されている。
【０００４】
本発明は、上記の課題を解決するためになされたもので、天井等の被設置部への施工性を容易かつ確実にすることが可能な照明器具を提供しようとするものである。
【課題を解決するための手段】
【０００５】
請求項１に記載の照明器具の発明は、発光素子を配設した発光部を有する器具本体と；器具本体を内周側に配設すると共に、器具本体の一端部を枢支する支持枠と；器具本体の他端部に設けられ器具本体に対して移動して前記支持枠と係合するストッパー片と、ストッパー片の移動を規制するロック機構とを備えた係合部と； を具備していることを特徴とする。本発明によれば、操作が簡単で、かつ確実に器具本体を支持枠に対して係合させることができ、天井等の被設置部への施工性を容易かつ確実に行うことができる。
【０００６】
本発明において、照明器具は、天井から全般照明を行う一般家庭やオフィス等、施設・業務用などの比較的大きな照明器具に適用されることが好適であるが、小型の照明器具に適用されてもよい。また、本発明は、天井などの被設置面に埋め込まれて設置される照明器具に適用されることが好ましいが、天井に直付けされて設置される照明器具であってもよい。
【０００７】
発光素子は、発光ダイオード、有機ＥＬや半導体レーザなど、半導体を発光源とした発光素子が好適であるが、ここでは、平板状の発光部を構成できるものであれば、小型のハロゲンランプ等の白熱電球や冷陰極形の小型の蛍光ランプ等であってもよい。発光素子は、白色で発光するように構成することが好ましいが、照明器具の用途に応じ、赤色、青色、緑色等でも、さらには各種の色を組み合わせて構成してもよい。
【０００８】
発光部は、必要な個数の発光素子が選択されて基板上に配設され、正方形または長方形等の平板状で矩形状をなす面状光源、若しくは矩形状の長尺なライン状をなす発光部を構成することが好ましいが、ここでは、円形や楕円形などの丸形、さらには６角形、８角形など多角形状の発光部を構成したものであってもよい。発光部は、例えば、発光素子の光を反射させる反射体を有していてもよい。さらに発光部の前面に、発光素子を覆う透光性を有する乳白色等の半透明な合成樹脂、または、強化ガラス等で構成された透光板を設けてもよい。また、格子状の制光体を設けるようにしてもよい。
【０００９】
器具本体は、発光部を支持する本体枠、本体枠を内周側に配設する支持枠で構成されることが好ましいが、ここでは、本体枠や支持枠に分離した構成ではなく、単品で構成した本体ケースなどで構成されたものであってもよい。器具本体の一端部を支持枠に枢支する構成は、鉤状の係止片部を溝状の係止受部に嵌合させることにより、着脱が可能なヒンジ部で構成されることが施工性を向上させるために好ましいが、ここでは、一般的な蝶番等、着脱ができないヒンジ機構で構成したものであってもよい。
【００１０】
係合部は、回動操作によるストッパー片の移動により、支持枠と器具本体の他端部とを係合させることが、操作を簡単にするために好ましいが、例えば、２、３回程度の簡単な回転操作やスライド操作で係合させるように構成したものであってもよい。ストッパー片の移動を規制するロック機構は、ロックの解除も行うことができるように、例えば、凸部と凹部を嵌合させるものや、凸部と孔や溝と嵌合させるものであってもよい。なお、本発明において、ロック機構は移動の規制と同時に解除も行うことができることが好ましいが、設置作業のみを優先させた施工であれば、ロック機構の解除は必要な条件ではなく、解除機能を有さないロック機構であってもよい。
【００１１】
請求項２に記載の発明は、請求項１記載の照明器具において、前記係合部は、ストッパー片を有する止め具と、止め具を回動可能に支持する軸受部と、止め具と軸受部との間に設けられ止め具の回動を規制するロック機構とを具備していることを特徴とする。
【発明の効果】
【００１２】
請求項１記載の発明によれば、器具本体の他端部に設けられ器具本体に対して移動して前記支持枠と係合するストッパー片と、ストッパー片の移動を規制するロック機構とを備えた係合部により、操作が簡単で、かつ確実に器具本体を支持枠に対して係合させることができ、天井等の被設置部への施工性を容易かつ確実にすることが可能な照明器具を提供することができる。
【００１３】
請求項２記載の発明によれば、回動による簡単な操作で器具本体と支持枠とを係合できると共に、ロック機構により確実に係合させることができ、天井等の被設置部への施工性を容易かつ確実にすることが可能な照明器具を提供することができる。
【発明を実施するための最良の形態】
【００１４】
以下、本発明に係る照明器具の実施形態について、図に従い説明する。
【実施例１】
【００１５】
図１に示すように、本実施例は天井埋込形の平板状で正方形をなすパネル形の照明器具を構成したものであり、照明器具１０は、発光素子１１を配設した発光部を構成する発光パネルＡ、発光パネルを内周側に配設して支持する本体枠１４、本体枠を内周側に配設すると共に、本体枠の一端部を枢支する支持枠１６、支持枠と本体枠の他端部とを係合する係合部１４ｅ、発光素子を点灯する点灯装置１７で構成する。器具本体Ｂは、発光パネルＡ、本体枠１４で構成する。
【００１６】
発光素子１１は、発光ダイオード（以下「ＬＥＤ」と称す）と蛍光体で構成する。本実施例では青色のＬＥＤチップとこのＬＥＤチップにより励起される黄色蛍光体で構成されて高輝度、高出力の白色の光を発光する。上記に構成されたＬＥＤ１１は、正方形をなす基体１１ａ上に、縦に４個、横に４個、計１６個がマトリックス状に配設されている。基体１１ａは、例えば、ガラスエポキシやアルミニウム基板で構成され、正方形をなす平板状に形成される。各ＬＥＤ１１は、基体の裏面側でそれぞれが直列に配線接続される。
【００１７】
上記に構成された基体１１ａには、その表面のＬＥＤ１１を配設した側に反射体１１ｃを設ける。すなわち、反射体は、耐熱性および電気絶縁性を有する合成樹脂、本実施例では、白色のＰＢＴ（ポリブチレンテレフタレート）により、外観がピラミッド形をなし、図２に示すように、横断面が矩形状、本実施例では正方形をなす「すり鉢状」の凹部１１ｄを形成し、その底部の開口１１ｅの中心に、上記に配列された各ＬＥＤ１１が位置しＬＥＤチップを囲むようにして配設される。反射体１１ｃには、ＬＥＤ１１からの光を外方へ放射するための正方形の開口部１１ｆが形成される。
【００１８】
反射体１１ｃは上記のように、ＰＢＴにより各ＬＥＤ１１に対応した１６個の個別の反射体が一体に形成され、内部の断面が略三角形状をなす空洞１１ｇにした正方形の部材として構成される。また、反射体の正方形をなす「すり鉢状」の凹部１１ｄの傾斜した内面は、反射面１１ｈとして構成される。この反射面にはアルミニウムや銀などを蒸着して鏡面加工を施してもよい。
【００１９】
上記に構成された反射体１１ｃは、凹部１１ｄの中心に各ＬＥＤ１１が配置されるように位置決めされて、反射体の底部が基体１１ａの表面に密着するように、後述する放熱板１１ｊにネジ等で固定される。なお、シリコーン樹脂やエポキシ樹脂からなる耐熱性および電気絶縁性を有する接着剤で基体の表面側に固着してもよい。
【００２０】
上記に構成された１６個のＬＥＤ１１を配設した正方形の基体１１ａおよび各ＬＥＤに対向したピラミッド形の１６個の反射面１１ｈを有する正方形の反射体１１ｃは、４組が使用されて発光部となる正方形の発光パネルＡが構成される（図２（ａ））。すなわち、１６個のＬＥＤ１１を配設した正方形の基板１１ａおよび反射体１１ｃが、縦に２個、横に２個、計４個が、放熱板１１ｊに配置される。放熱板は熱伝導性の良好な鋼板やアルミニウム等の金属、本実施例では正方形の鋼板からなり、対向する各辺に立上り片１１ｋを一体に形成する。
【００２１】
上記に構成した放熱板１１ｊに、ＬＥＤ１１を配設した基体１１ａを立上り片１１ｋで位置決めにしながら載置し、さらにその上に反射体１１ｃを載置して放熱板１１ｊの裏面から、基体１１ａと共にネジ等で固定する。これにより、光源としてＬＥＤを配設し平板状で正方形をなす発光パネルＡが構成される。
本体枠１４は、図１、図３に示すように、熱伝導性の良好な金属、本実施例では、白色に塗装されたアルミニウムで正方形の枠体１４ａを一体に構成する。枠体の寸法は、枠内に上記構成の正方形の発光パネルＡが内周側に配設され支持される大きさに構成し、発光パネルＡをその枠内に挿入することによって発光パネルＡと共に正方形をなす照明器具の器具本体Ｂを構成する。本体枠１４には、枠体１４ａの外周に、外方に向けて突出する飾り縁となる鍔部１４ｂを、四辺全てに一体に形成する。この鍔部１４ｂの内、一辺の鍔部に鉤状に突出する係止片部１４ｄを、枠体１４ａの一辺に沿って長く一体に形成する。この係止片部１４ｄを後述する支持枠１６の係止受部１６ｄに嵌合することにより、器具本体Ｂの一端部が支持枠に枢支される。
【００２２】
また、上記に構成された本体枠１４には、前記係止片部１４ｄを形成した辺と対向する辺の略中間部分に、後述する支持枠１６に本体枠１４を係合させて支持する係合部１４ｅを形成する。これにより、器具本体Ｂの他端部に係合部１４ｅが設けられる。係合部は図１（ｂ）（ｃ）に示すように、止め具１４ｅ１と軸受部１４ｅ２およびロック機構Ｒで構成する。
【００２３】
止め具１４ｅ１は、一端にマイナス溝を形成したネジ頭１４ｅ３と、軸部の中間部に軸方向と直交する方向に突出させた長いストッパー片１４ｅ５を一体に形成した金属製または合成樹脂製、本実施例では金属棒で構成する。軸受部１４ｅ２は、本体枠１４の側板１４ｋに円筒体を一体に形成した合成樹脂製の軸受けとして構成し、円筒体に止め具１４ｅ１の金属棒を回動可能に挿入して支持する。
【００２４】
ロック機構Ｒは、止め具１４ｅ１と軸受部１４ｅ２との間に設けられもので、止め具１４ｅ１の軸部の中間部に、ストッパー片１４ｅ５と離間して軸方向と直交する方向に突出させた短い凸部１４ｅ４と、軸受部１４ｅ２を構成する円筒体の中間部に形成し、凸部１４ｅ４が嵌合する小孔１４ｅ６で構成する。
【００２５】
上記に構成された止め具１４ｅの金属棒を本体枠１４の鍔部１４ｂに形成された貫通孔１４ｍを介して軸受部１４ｅ２に回動ができるように挿入する。これにより、ネジ頭１４ｅ３を回動することにより、ストッパー片１４ｅ５が本体枠１４の側面１４ｋから突出して、後述する支持枠１６の内方の鍔部１６ｂに内面から係合させることができる。このとき、ストッパー片１４ｅ５が突出して係合した状態でロック機構Ｒの凸部１４ｅ４が同時に回動する。この回動により軸受部１４ｅ２が樹脂の弾性を利用して撓みながら凸部１４ｅ４が円筒体の小孔１４ｅ６に嵌合して金属棒の回動が規制されロックされる。
【００２６】
また、本体枠１４には、枠体１４ａの内周に、内方に向けて突出する飾り縁となる鍔部１４ｎが一体に形成される。この鍔部は発光パネルＡを本体枠１４内に挿入した際に発光パネルが本体枠から外れないように係止させる。また、発光パネルが本体枠内に挿入された状態で、発光パネルを本体枠の鍔部１４ｎの内面に押さえ付けるように、例えば、４箇所程度が、板バネ等の押さえ部材（図示せず）で支持される。
【００２７】
なお、図１中１８は、発光パネルＡの前面に、ＬＥＤ１１や反射体１１ｃを覆うように設けられた透光性を有する乳白色の半透明な合成樹脂からなる薄い正方形をなす透光板、１９は格子状に構成された正方形の制光体である。これら透光板１８および制光体１９は、正方形の発光パネルＡと共に、本体枠１４の枠体１４ａ内に挿入され本体枠の鍔部１４ｎの内面に、制光体１９、透光板１８、さらに発光パネルＡを順に重ねて、押さえ部材により押さえ付けて支持する。
【００２８】
支持枠１６は天井等の被設置部に設置されるもので、熱伝導性の良好な金属、本実施例では、本体枠１４と同様に白色に塗装したアルミニウムで正方形の枠体１６ａを一体に構成する。枠体１６ａの寸法は、枠内に上記構成の正方形の本体枠１４を内周側に配設して内包できる大きさに構成し、本体枠１４をその枠内に挿入することによって、発光パネルＡと本体枠１４で構成された正方形の器具本体Ｂを支持する。
【００２９】
支持枠１６には、枠体１６ａの内周に、内方に向けて突出する鍔部１６ｂが一体に形成され、この鍔部１６ｂの先端部に段部１６ｃ（図４（ａ））を一体に形成して、図中上方に開放する断面が略Ｕ字状の溝からなる係止受部１６ｄを、枠体１６ａの辺に沿って長く一体に形成する。この係止受部１６ｄは、正方形をなす支持枠１６の各辺、すなわち、四辺に全体に形成する。さらに、枠体１６ａの外方に向けて突出する飾り縁となる鍔部１６ｅを一体に形成する。
【００３０】
上記係止受部１６ｄの溝には、上述した本体枠１４の係止片部１４ｄが嵌合され、この係止片部１４ｄと係止受部１６ｄにより本体枠１４が支持枠１６の一辺に対し回動、すなわち、開閉がなされるときのヒンジ部Ｃとしての作用（図４（ａ））と、本体枠１４が開放されたときに支持枠１６から外れないように係止する外れ防止の作用（図４（ｂ））を行う。なお、係止受部１６ｄは正方形をなす支持枠１６の四辺に形成されているので、どの辺の係止受部に対しても正方形の本体枠１４の係止片部１４ｄを係止させることができる。また、支持枠１６の対向する辺に位置する側板１６ｆに、鋼板からなる受片１６ｇを固着し、この受片の中央部にネジ孔１６ｈを形成する（図５（ｂ））。
【００３１】
点灯装置１７は、例えば、交流電圧１００Ｖを直流電圧２４Ｖに変換して発光ダイオードチップ等に供給する点灯回路（図示せず）で構成され、図５（ａ）に示すように、鋼板で構成された長い直方体からなるケース部材１７ａに点灯回路が内蔵され配設される。ケース部材１７ａの両端部に、側板１７ｃから上面板１７ｄにわたって支持孔が形成される。この支持孔は側板１７ｃに横長の大きな案内孔１７ｅが形成され、この案内孔に連続して上面板１７ｄに縦長の長孔１７ｆが形成されている。この案内孔１７ｅは後述する吊りボルト２０のナット２１が挿入でき、長孔１７ｆはボルト２０を挿入できるがナット２１は挿入できない寸法に形成する。また、ケース部材１７ａの両側板１７ｃには、案内孔１７ｅの下方に位置して取り付け用のネジ孔１７ｇを形成する。
【００３２】
点灯回路を内蔵し配設したケース部材１７ａは支持枠１６に支持できるように構成される。すなわち、ケース部材１７ａを支持枠１６の対向する辺に位置する側板１６ｆに跨らせるようにして配置し、両方の側板１６ｆに固着された受片１６ｇのネジ孔１６ｈに、ケース部材１７ａの両側板１７ｃのネジ孔１７ｇを合致させてネジで固着できるように構成する。
【００３３】
また、ケース部材１７ａの一方の側板１７ｃからは、点灯回路の出力端に接続された端子部１７ｊが引き出され、発光パネルＡの入力端子に接続されたパネル側リード線ｗの先端に取付けられたコネクタ１２ｃが接続される（図６（ｂ））。この場合、ケース部材１７ａは支持枠１６へ取り付ける際に、端子部１７ｊが引き出された側板１７ｃが、換言すれば、端子部１７ｊが支持枠１６の溝状の係止受部１６ｄ近傍に面するように位置させて取り付ける。
【００３４】
上記に構成された発光パネルＡ、本体枠１４、支持枠１６および点灯装置１７からなる照明器具１０は、次のようにして、被設置部である天井面Ｘに設置されて使用される（図６）。
【００３５】
なお、天井Ｘには、予め支持枠１６が挿入できる大きさの正方形の開口ｈを形成し、天井裏の支持材３０に２本の吊りボルト２０を設置しておく。２本の吊りボルトは、点灯装置１７のケース部材１７ａの両端部に形成した支持孔の間隔寸法に大体合わせた間隔で設置し、それぞれに２個ずつのナット２１、２１を装着しておく(図５（ａ）)。
【００３６】
先ず、支持枠１６に点灯装置１７を、図５（ａ）に示すように予め支持しておく。次に、図６（ａ）に示すように、点灯装置のケース部材１７ａを支持した支持枠１６を、ケース部材１７ａを上方にして天井Ｘの開口ｈから天井内に挿入し、ケース部材１７ａの片方の支持孔、本実施例では図５（ａ）中左方の支持孔の案内孔１７ｅに、左方の吊りボルト２０のナット２１を挿入する。この際２個のナット２１の内、下方のナット２１を案内孔１７ｅに挿入し、ボルト２０を長孔１７ｆに挿通させる。上方のナット２１はケース部材１７ａの上面板１７ｄに面するようにしておく。同様に、右方の吊りボルト２０を撓ませて、下のナット２１を案内孔１７ｅ内に挿入し、さらにボルト２０を長孔１７ｆに挿通させる。
【００３７】
この状態で、支持枠１６を開口ｈに合致させる。この際、ボルト２０をケース部材１７ａの長孔１７ｆ内で左右にスライドさせて支持枠１６の飾り縁となる鍔部１６ｅで開口ｈの周囲のギザギザ面が隠れるようにする。この状態で支持枠１６の天井Ｘに対する取付位置が決まる。この状態のまま、各吊りボルト２０の２個のナット２１をそれぞれ締め付けて、ケース部材１７ａを２本の吊りボルト２０に固着する。これにより、支持枠１６が点灯装置のケース部材１７ａを介して天井裏の支持材３０に固定される(図６（ａ）)。
【００３８】
この際、点灯装置１７は、支持枠１６に跨った状態に固定されるので、点灯装置の両側には開口部ａが形成され（図５（ａ））、この開口部から天井裏の状況および吊りボルト２０やナット２１などの状態を見ながら行う。また、天井面Ｘへの設置作業は、支持枠１６には発光パネルＡ等と本体枠１４が一体化された器具本体Ｂは取り付けられていない状態で、合成樹脂からなる軽い支持枠１６のみを持ち上げて設置する。
【００３９】
次に、本体枠１４を持ち上げて本体枠１４の係止片部１４ｄを支持枠１６の内周に形成された係止受部１６ｄの溝に嵌合する。この際、係止受部１６ｄは正方形をなす支持枠１６の四辺に形成されているので、どの辺の係止受部１６ｄに対しても本体枠１４の係止片部１４ｄを係止させることができるので、天井近辺の障害物等の状況をみて、どの辺の係止受部に係止させるかを選定して決める。上記により、本体枠１４が支持枠１６の一辺に吊り下げられた状態で支持される(図６（ｂ）)。
【００４０】
次に、吊り下げられた状態の本体枠１４の枠体１４ａに対して、内方の鍔部１４ｎの内面に制光体１９、透光板１８、さらに発光パネルＡを順に重ねて挿入し、押さえ部材により押さえつけて支持し、本体枠１４と発光パネルＡを一体化させる（図６（ｂ））。次に、点灯装置１７のケース部材１７ａの一方の側板１７ｃから引き出された端子部１７ｊに発光パネルＡ側のリード線ｗのコネクタ１２ｃを接続する。なお、この際、点灯装置１７と発光パネルＡとの配線接続がヒンジＣ側で行えるため発光パネル側リード線ｗは短いものでよい。これら作業は、本体枠１４が、支持枠１６から出され垂下された状態で行うことができ、施工性がよくなる。
【００４１】
上記により、係止片部１４ｄを係止受部１６ｄに係止した状態でヒンジ部Ｃが構成されるので、本体枠１４の係止片部１４ｄを、係止受部１６ｄを軸心として回動させる。すなわち、発光パネルＡ等と一体化された本体枠１４を、支持枠１６の一辺に係止した状態で、支持枠１６の中に本体枠１４を挿入するようにして、換言すれば、発光パネルＡで支持枠１６の開口を閉じるように押し上げて回動させる（図６（ｂ）の矢印方向）。
【００４２】
これにより、本体枠１４に係止された側と反対側の辺に設けられた係合部１４ｅが、支持枠１６の鍔部１６ｂに当接する。この状態で、図１（ｂ）（ｃ）に示すように、本体枠１４の表面に露出している止め具１４ｅ１のネジ頭１４ｅ３を、マイナスドライバを使って左右どちらかへ回動させストッパー片１４ｅ５を本体枠１４の側面１４ｋから突出させ、支持枠１６の鍔部１６ｂに内面から係合させる。これにより、本体枠１４の一辺が係止片部１４ｄと支持枠１６の係止受部１６ｄの嵌合により、他の辺が係合部１４ｅで係合されて支持される。
【００４３】
この際、ロック機構Ｒの凸部１４ｅ４が、円筒体の小孔１４ｅ６に嵌合して金属棒の回動が規制されてロックされ、振動や長期間の使用などでストッパー片１４ｅ５が緩んで回り、支持枠１６の鍔部１６ｂ内面との係合が外れることがなく、器具本体Ｂを確実に支持枠１６に係合させることができ、落下等の虞に対する安全性を保持している。
【００４４】
上記により、発光パネルＡ、本体枠１４、支持枠１６および点灯装置１７からなる照明器具１０が天井Ｘに設置される。天井の開口ｈは、支持枠１６の飾り縁となる鍔部１６ｅで覆われ、この鍔部１６ｅと本体枠１４の鍔部１４ｂが面一となって天井面Ｘにフラットな状態で綺麗に設置され外観上もよくなる。
【００４５】
上記に設置された照明器具１０を点灯すると、発光パネルＡのＬＥＤ１１が白色に発光する。ＬＥＤから放射される光は下方および側方に向かって放射され反射体１１ｃの反射面１１ｈで反射され器具直下を含む周辺一帯を照射する広い略円形状の配光をもった照明を行う。同時に、反射面１１ｈで反射された光の一部が器具の側方に向けて放射され、天井面Ｘをより広範囲にわたって照射する。
【００４６】
また、点灯時に各ＬＥＤ１１から発生する熱は、基体１１ａから鋼板製の放熱板１１ｊを介して外部に放熱される。また、点灯装置１７の熱も鋼板からなるケース部材１７ａやアルミニウムからなる本体枠１４を介して放熱される。これにより、ＬＥＤの発光効率の低下を防止することができ、温度上昇に伴う光束の低下を防止することができると共に、ＬＥＤの長寿命化を図ることが可能となる。また点灯装置１７の回路部品の信頼性も高めることができる。
【００４７】
次に、光源となるＬＥＤ等のメンテナンスなどで発光パネルＡを取り出す場合には、次のようにして取り外す。先ず、図１（ｂ）（ｃ）に示すように、本体枠１４の表面に露出している止め具１４ｅ１のネジ頭１４ｅ３を、マイナスドライバを使って左右どちらかへ回動させストッパー片１４ｅ５と支持枠１６の鍔部１６ｂ内面との係合を解除する。この際、ロック機構Ｒの凸部１４ｅ４が同時に回動する。この回動により軸受部１４ｅ２が樹脂の弾性を利用して撓みながら凸部１４ｅ４が円筒体の小孔１４ｅ６から外れてロックが解除される。
【００４８】
この状態で、本体枠１４の係止片部１４ｄを、支持枠１６の係止受部１６ｄを軸心として回動させ、支持枠１６の開口から本体枠１４を開くようにして回動させる（図４（ａ）→（ｂ））。これにより、係止受部１６ｄの溝に本体枠１４の鉤状の係止片部１４ｄが係止する。これにより、本体枠１４が開放された状態で支持枠１６から外れないように係止され吊り下げられた状態になる（図６（ｂ））。
【００４９】
この状態で、発光パネルＡを本体枠１４に押え付けている押さえ部材を取り外し、発光パネルＡを本体枠１４から引き出せばよい。また、本体枠１４と一緒に発光パネルを取り外す場合には、図４（ｃ）に示すように、係止受部１６ｄの溝と本体枠１４の鉤状の係止片部１４ｄとが係止した状態から、さらに開く方向に回動させて鉤状の係止片部１４ｄと係止受部１６ｄの溝との係止状態を解除すれば、本体枠１４を発光パネルＡと共に、すなわち、器具本体Ｂを支持枠１６から取り外すことができる。
【００５０】
以上、本実施例によれば、天井に設置された支持枠１６と、発光パネルＡを支持した本体枠１４の他端部とをストッパー片を回動して係合させる係合部１４ｅを設けたので、施工に際しては、本体枠１４の表面に露出している止め具１４ｅ１のネジ頭１４ｅ３を、単に回動させる操作のみで行うことができ、従来のように小さいつまみネジを何回も回転させる必要がなくなり、高所や暗がりにおける施工性を著しく向上させることができる。
【００５１】
また、係合した状態は、ロック機構Ｒでストッパー片１４ｅ５の回動を確実に規制することができ振動や長期間の使用などでストッパー片１４ｅ５が緩んで回り、支持枠１６との係合が外れることがなく、発光パネルＡを支持した本体枠１４、すなわち、器具本体Ｂを確実に支持枠１６に係合させることができ、落下等の虞のいない安全な照明器具を提供することができる。特に、発光パネルＡの光源として小さなＬＥＤを使用し、パネル全体が軽量化されており、器具本体Ｂが多少の振動などでガタツキ易く、係合部１４ｅのストッパー片１４ｅ５も動き易くなるが、この問題も解消させることができる。
【００５２】
また、係合部１４ｅの構成は、本体枠１４に一体に形成し軸受部１４ｅ２と、金属棒からなる止め具１４ｅ１からなり、構成が極めて簡単でコスト的にも有利となる。また、ロック機構Ｒも金属棒に形成した凸部１４ｅ４と、円筒体に形成した小孔１４ｅ６からなる単純かつ簡単な構成であると共に、ロックのための操作は、係合のための止め具１４ｅ１の回動操作と同時に行うことができ、ロックのための格別な操作を行う必要がなく、一層施工性を向上させることができる。また、軸受部１４ｅ２は、合成樹脂製の本体枠１４に一体に形成し、樹脂の弾性を利用してロックをすることができ、スプリング等、格別な弾性部材を使用する必要がなく、構成が簡単になると共に、コスト的にも有利となる。さらに、ロックの解除も、器具本体Ｂの取り外し時における係合部１４ｅの解除操作と同時に行うことができ、格別の解除操作が不要となり操作性に優れた照明器具を提供することができる。
【００５３】
また、一辺に鉤状に突出する係止片部１４ｄを形成した本体枠１４と、正方形をなす各辺に本体枠１４の係止片部１４ｄを嵌合する溝状の係止受部１６ｄを形成した支持枠１６を構成したので、軽い支持枠１６のみを天井Ｘに先ず設置することができ、枠体１６ａをなし開放した支持枠１６から天井裏の状況や吊りボルト２０やナット２１などの状態を見ながら行うことができ施工がし易くなる。
【００５４】
また、支持枠１６を先に天井Ｘに設置し、本体枠１４の係止片部１４ｄを、既に設置された支持枠１６の係止受部１６ｄに嵌合し本体枠１４を支持枠１６に取り付け、その状態で本体枠１４に発光パネルＡを取り付けるようにすることができ、天井面Ｘへの設置作業は、支持枠１６には発光パネルＡと本体枠１４が一体化された器具本体Ｂは取り付けられていない状態で、合成樹脂からなる軽い支持枠１６のみを持ち上げて設置すればよく、従来のように、点灯装置など比較的重いものを支えながらの作業となることがなく施工が一層し易くなり、これら作用により、天井等の被設置部への施工性を一層容易にすることができる。特に、光源としてＬＥＤを採用し、軽量化を図った照明器具において、本体の軽量化と合わせて、施工性に一層優れた照明器具を提供することができる。
【００５５】
また、支持枠１６の係止受部１６ｄは正方形をなす支持枠１６の四辺に形成されているので、どの辺の係止受部に対しても正方形の本体枠１４の係止片部１４ｄを係止させることができるので、天井近辺の障害物等の状況をみて、本体枠１４が支持枠１６に対して開閉ができるかなどを判断しながら、どの辺の係止受部１６ｄに本体枠１４の係止片部１４ｄを嵌合させるかを選定して決めることができ、さらに、施工性に富んだ照明器具を提供することができる。同時に設置後のメンテナンス等で器具本体Ｂが天井面Ｘの障害物などに当たり取り外せなくなるようなことを防ぐことができる。また、係止片部１４ｄおよび係止受部１６ｄは、一辺に沿って長く形成されており、両者を確実に嵌合させることができるので、確実なヒンジ部Ｃを構成することができ、本体枠１４の開閉の際の操作性もよく、またガタツキ等が生じない。また、長い係止片部１４ｄおよび係止受部１６ｄにより本体枠１４と支持枠１６との隙間を隠すことができ外観的にも良好になる。
【００５６】
また、点灯装置１７のケース部材１７ａが支持枠１６に取り付けられているので、支持枠１６の天井Ｘへの設置と同時に点灯装置１７も同時に設置することができ、施工が一層簡素化される。
【００５７】
以上、本実施例において、被設置部である天井Ｘに設置された支持枠１６と器具本体Ｂの他端部とをストッパー片１４ｅ５を移動して係合する係合部１４ｅは、回動操作に限らず、スライド操作で行うようにしてもよい。すなわち、図７（ａ）に示すように、止め具のストッパー片を金属製または合成樹脂製のスライド片１４ｅ５´で構成し、本体枠１４の側板１４ｋに形成したガイド孔１４ｅ７にスライド可能に挿入し、本体枠１４の表面に露出している摘み１４ｅ３´を、摘んで左右どちらか（図中矢印の方向）へ単にスライドさせるように構成してもよい。この場合のロック機構Ｒは、スライド片１４ｅ５´の凸部１４ｅ４´とガイド孔１４ｅ７内面に形成した凹部１４ｅ６´とを嵌合させて構成する。
【００５８】
また、本体枠１４に係合部１４ｅを設けたが、図７（ｂ）に示すように、支持枠１６側に係合部１４ｅを形成してもよい。すなわち、軸受部１４ｅ２を支持枠１６の側板１６ｋに一体に形成し、本体枠１４に一体に形成した突出片１４ｅ９にストッパー片１４ｅ５を下から係合させるように構成する。
【００５９】
また、ロック機構Ｒは、凸部と小孔で構成したが、小孔を貫通しない穴である凹部で構成し、それぞれを嵌合させてロックするようにしてもよい。また、図７（ｃ）に示すように、止め具１４ｅ１の金属棒にピンを埋め込んで両端に凸部１４ｅ４´を形成し、軸受部１４ｅ２の円筒体の開口縁部１４ｅ１０に一対の溝状の凹部１４ｅ６´を形成するようにし、凸部１４ｅ４´と溝状の凹部１４ｅ６´とを嵌合させるようにしてもよい。
【００６０】
また、凸部１４ｅ４を止め具１４ｅ１の金属棒に形成し、小孔１４ｅ６を軸受部１４ｅ２に形成したが、逆に、小孔１４ｅ６または凹部１４ｅ６´を止め具１４ｅ１の金属棒やスライド片１４ｅ５´に形成し、凸部１４ｅ４を軸受部１４ｅ２やガイド孔１４ｅ７に形成してもよい。また、ロック機構Ｒは樹脂の弾性を利用して凸部と凹部の嵌合および解除を行うように構成したが、軸受部および止め具を共に金属で構成し凸部を金属のボール玉で構成してコイルスプリング等で常に突出する方向に付勢させ、軸受部の凹部に嵌合または解除が可能になるように構成してもよい。これによれば、係合および解除がより確実に行えると共に、嵌合の際に「カチッ」と金属音を発生することができ、節動作用と相まって操作性のよい係合部を構成することができる。
【００６１】
また、支持枠１６の係止受部１６ｄは、支持枠１６の四辺全てに形成したが、係合部１４ｅである止め具１４ｅ１と対向する辺にのみ形成するようにしてもよい。係止受部１６ｄおよび係止片部１４ｄを、辺に沿って長く形成したが、いずれか一方、若しくは両方を辺の長さより短く形成するようにしてもよい。
【００６２】
また、器具本体Ｂおよび支持枠１６を正方形に構成したが、図７（ｄ）に示すように、円形に構成して、一端部に蝶板からなるヒンジ部Ｃ´を設け、他端部に上述した係合部１４ｅを設けて構成してもよい。
【００６３】
本体枠１４および支持枠１６は、熱伝導性の良好な金属で構成したが、耐熱性、耐候性で電気絶縁性を有する合成樹脂、例えば、ＰＢＴ（ポリブチレンテレフタレート）などで構成してもよい。
【００６４】
係止片部１４ｄは、合成樹脂製の本体枠１４と一体に形成したが、金属等で鉤状に成した別体の係止片部を本体枠の一辺に取付けたものであってもよい。係止受部１６ｄは、矩形状をなす支持枠１６の各辺、すなわち、四辺に溝状に形成したが、四辺に限らず一辺にのみ形成するものであってもよい。また、例えば、合成樹脂製の支持枠１６に一体に形成したが、金属等で溝状に形成した別体の係止受部を支持枠の各辺等に取付けたものであってもよい。
【００６５】
点灯装置１７は、本体枠１４若しくは発光パネルＡに設けてもよい。または、これら部材とは別置きで天井裏などに設置されるものであってもよい。本発明は、天井などの被設置面に埋め込まれて設置される照明器具を構成したが、天井に直付けされて設置される照明器具であってもよい。以上、本発明の好適な実施形態を説明したが、本発明は上述の各実施例に限定されることなく、本発明の要旨を逸脱しない範囲内において、種々の設計変更を行うことができる。
【図面の簡単な説明】
【００６６】
【図１】本発明の第１実施形態に係る照明器具を示し、（ａ）は縦断面図、（ｂ）は係合部の縦断面図、（ｃ）は（ｂ）のＡ−Ａ線に沿う断面図。
【図２】同じく照明器具の発光パネルを示し、（ａ）は正面図、（ｂ）は（ａ）のＡ−Ａ線に沿う断面図、（ｃ）は（ｂ）の要部を拡大して示す断面図。
【図３】同じく照明器具の組立手順を示す斜視図。
【図４】同じく照明器具の係止片部および係止受部を拡大して示し、（ａ）は嵌合した状態を示す断面図、（ｂ）は係止して吊り下げた状態を示す断面図、（ｃ）は取り外す状態を示す断面図。
【図５】同じく照明器具の点灯装置と支持枠を示し、（ａ）は組立状態を示す斜視図、（ｂ）は支持枠の側板部分を示す斜視図。
【図６】同じく照明器具を天井に設置する場合の施工手順を示し、（ａ）は支持枠を天井に設置した状態を示す断面図、（ｂ）は吊り下げられた本体枠に発光パネル等を支持した状態を示す断面図、（ｃ）は発光パネル等を一体化した本体枠を支持枠に支持した状態を示す断面図。
【図７】同じく照明器具の変形例を示し、（ａ）は係合部の第１の変形例を示す断面図、（ｂ）は係合部の第２の変形例を示す断面図、（ｃ）は係合部のロック機構の第１の変形例を示す断面図、（ｄ）は照明器具の第１の変形例を下方から見た正面図。
【符号の説明】
【００６７】
１０  照明器具
１１  発光素子
Ａ    発光部
Ｂ    器具本体
１４ｅ  係合部
１４ｅ１  止め具
１４ｅ２  軸受部
１４ｅ５  ストッパー片
Ｒ    ロック機構
１６  支持枠
【図１】
2010153314.tif 000003
【図２】
2010153314.tif 000004
【図３】
2010153314.tif 000005
【図４】
2010153314.tif 000006
【図５】
2010153314.tif 000007
【図６】
2010153314.tif 000008
【図７】
2010153314.tif 000009